(57)【特許請求の範囲】
【請求項１】
住戸外に設置され来訪者が住戸内の在室者を呼出して通話を行うインターホン子機と、前記住戸内に設置され前記来訪者からの呼出しに応答した前記在室者が通話を行うインターホン親機と、住戸玄関に設置された電気錠とを有するインターホンシステムであって、
前記インターホン親機から前記インターホン子機を経由して制御され前記電気錠を施解錠する電気錠コントローラが前記住戸内に設置され、
前記インターホン子機、前記インターホン親機及び前記電気錠コントローラはそれぞれ、ＬＡＮ等の汎用ネットワークを経由して相互に接続され、
前記インターホン親機は、前記在室者が前記電気錠を解錠させるための解錠操作を行う解錠操作部と、前記解錠操作部の操作情報を検出して前記インターホン子機に送信する親機ＣＰＵとを備え、
前記インターホン子機は、前記電気錠コントローラに割当てられたＩＰアドレス等の識別符号を記憶する子機記憶部と、前記インターホン親機の前記親機ＣＰＵから送信されてくる前記操作情報を受信して当該操作情報が有効であると判定したとき、前記子機記憶部から読出した前記識別符号に一致する前記電気錠コントローラを前記汎用ネットワークを経由して制御し、前記電気錠の解錠を行う子機ＣＰＵとを備えることを特徴とするインターホンシステム。
【発明の詳細な説明】
【技術分野】
【０００１】
本発明は、住戸玄関に設置された電気錠の解錠を行うインターホンシステムに係り、特に、誤動作や悪戯が発生せず安全に電気錠を解錠することができるインターホンシステムに関する。
【背景技術】
【０００２】
従来から、この種のインターホンシステムとして、集合玄関の玄関戸に設置された電気錠の解錠時等において消費される電力を抑制させ省電力が図られた集合住宅インターホンシステムが開示されており、集合玄関に設置された集合玄関機によれば、少電流値とされる定電流で駆動する電気錠回路のリレー制御で電気錠を解錠させることができる（例えば、特許文献１を参照）。
【先行技術文献】
【特許文献】
【０００３】
【特許文献１】特開２００２−３５４１３４号公報
【発明の概要】
【発明が解決しようとする課題】
【０００４】
背景技術に記載の集合住宅インターホンシステムによれば、電気錠が集合玄関機に直接接続されているため、この集合玄関機を例えば、破壊して機器内部の配線を取出した後、特定のリレー端子をメークすると、電気錠が解錠されてしまう難点があった。
【０００５】
本発明は、この難点を解消するためになされたもので、電気錠を施解錠する電気錠コントローラをインターホン子機とは別体で住戸内に設置し、インターホン親機による解錠操作をもとにインターホン子機を経由して送信されてくる信号により電気錠コントローラを制御することで、誤動作が発生せず安全に電気錠の解錠が可能なインターホンシステムを提供することを目的としている。
【課題を解決するための手段】
【０００６】
前述の目的を達成するため、本発明の第１の態様であるインターホンシステムは、住戸外に設置され来訪者が住戸内の在室者を呼出して通話を行うインターホン子機と、住戸内に設置され来訪者からの呼出しに応答した在室者が通話を行うインターホン親機と、住戸玄関に設置された電気錠とを有する当該システムであって、インターホン親機からインターホン子機を経由して制御され電気錠を施解錠する電気錠コントローラが住戸内に設置されている。インターホン子機、インターホン親機及び電気錠コントローラはそれぞれ、ＬＡＮ等の汎用ネットワークを経由して相互に接続されている。インターホン親機は、在室者が電気錠を解錠させるための解錠操作を行う解錠操作部と、解錠操作部の操作情報を検出してインターホン子機に送信する親機ＣＰＵとを備えている。インターホン子機は、電気錠コントローラに割当てられたＩＰアドレス等の識別符号を記憶する子機記憶部と、インターホン親機の親機ＣＰＵから送信されてくる操作情報を受信して当該操作情報が有効であると判定したとき、子機記憶部から読出した識別符号に一致する電気錠コントローラを汎用ネットワークを経由して制御し電気錠の解錠を行う子機ＣＰＵとを備えている。
【０００７】
この態様のインターホンシステムによれば、電気錠を施解錠する電気錠コントローラをインターホン子機とは別体で住戸内に設置し、インターホン親機の解錠操作部の使用による解錠操作を検出した親機ＣＰＵから送信されてくる操作情報が有効であるとインターホン子機の子機ＣＰＵで判定したとき、この子機ＣＰＵにより子機記憶部から読出された識別番号に一致する電気錠コントローラを制御することができる。これにより、電気錠コントローラは、インターホン子機を経由して送信されてくる信号で制御されるため、誤動作が発生せず安全に電気錠の解錠が可能となる。
【発明の効果】
【０００８】
本発明のインターホンシステムによれば、電気錠を施解錠する電気錠コントローラをインターホン子機とは別体で住戸内に設置し、住戸内に設置されたインターホン親機による解錠操作をもとにインターホン子機を経由して送信されてくる信号により電気錠コントローラを制御することで、誤動作や悪戯が発生せず安全に電気錠の解錠が可能となる。
【図面の簡単な説明】
【０００９】
【図１】本発明の実施例であるインターホンシステムの具体的な構成を示すブロック図。
【発明を実施するための形態】
【００１０】
以下、本発明のインターホンシステムを適用した実施の形態例について、図面を参照して説明する。
【００１１】
図１は、本発明の実施例によるインターホンシステムの具体的な構成を示すブロック図である。このインターホンシステムは、住戸外、例えば、住戸玄関の周囲近傍に設置され来訪者が住戸内の在室者を呼出して通話を行うインターホン子機１と、住戸内に設置され来訪者からの呼出しに応答した在室者が通話を行うインターホン親機２と、住戸玄関（の玄関戸）に設置された電気錠３と、住戸内であって電気錠３の近傍に設置されインターホン親機２からインターホン子機１を経由して送信されてくる信号をもとに制御されて電気錠３を施解錠する電気錠コントローラ４と、インターホン子機１、インターホン親機２及び電気錠コントローラ４をそれぞれ接続するＬＡＮ（、ＷＡＮ）等の汎用ネットワーク５とを有している。なお、インターホン親機２によれば、その設置場所として、住戸玄関から離れていてもよい。
【００１２】
なお、同図において、インターホン子機１及び汎用ネットワーク５間、インターホン親機２及び汎用ネットワーク５間、電気錠コントローラ４及び汎用ネットワーク５間はそれぞれ、図示のような有線による接続の態様に限定されるものではなく、不図示の無線による接続の態様も好適とされる。
【００１３】
次に、同図に示すインターホン子機１は、自子機に割当てられた識別符号としての例えば、ＩＰアドレス（以下、子機アドレスという）を有しており、子機操作部１０、映像撮像部１１、子機映像処理部１２、子機マイク１３、子機スピーカ１４、子機音声処理部１５、子機記憶部１６、子機ＣＰＵ１７及び子機インターフェース（Ｉ／Ｆ）１８が備えられている。
【００１４】
このインターホン子機１において、子機操作部１０は、来訪者が在室者を呼出すための呼出操作を行うものであって、例えば、呼出（押圧）ボタンで構成されている。また、映像撮像部１１は、来訪者の映像や住戸玄関の周囲近傍の映像（監視映像を含む）を撮像し、所定の信号処理により映像信号を生成するものであって、例えば、ＣＣＤ、ＣＭＯＳ等の各種の映像撮像媒体で構成されている。さらに、子機映像処理部１２は、映像撮像部１１で生成された映像信号についての信号処理、例えば、ＦＭ変調や信号増幅等を行うものである。なお、映像撮像部１１によれば、不図示の人体感知センサ等が有する人体感知機能に連動させて、インターホン子機１の周囲近傍に人体の存在が感知されたときに、その動作を能動として映像信号を生成することもできる。
【００１５】
子機マイク１３及び子機スピーカ１４は、来訪者が在室者との間で通話を行うための音声（音声信号）を入出力するものである。また、子機音声処理部１５は、子機マイク１３及び子機スピーカ１４の使用により入出力される音声（音声信号）についての信号処理、例えば、ＦＭ変調又はＦＭ復調や信号増幅等を行うものである。
【００１６】
子機記憶部１６は、電気錠コントローラ４に割当てられた識別符号としての例えば、ＩＰアドレス（以下、コントローラアドレスという）を記憶するものであって、例えば、ＲＡＭ、ＥＥＰＲＯＭ等の各種の記憶媒体で構成されている。また、子機ＣＰＵ１７は、当該インターホン子機の構成各部を制御するものである。さらに、子機Ｉ／Ｆ１８は、子機映像処理部１２から汎用ネットワーク５への信号伝送路、子機音声処理部１５及び汎用ネットワーク５間の信号伝送路、子機ＣＰＵ１７及び汎用ネットワーク５間の信号伝送路をそれぞれ形成し、形成された信号伝送路を経由して各種の信号を送受信するものである。なお、子機記憶部１６は、図示のような子機ＣＰＵ１７と別体で設けられる構成の態様に限定されるものではなく、子機ＣＰＵ１７と一体でその内部（不図示）に備えることもできる。
【００１７】
次に、同図に示すインターホン親機２は、自親機に割当てられた識別符号としての例えば、ＩＰアドレス（以下、親機アドレスという）を有しており、通話操作部２０、解錠操作部２１、表示部２２、親機映像処理部２３、親機マイク２４、親機スピーカ２５、親機音声処理部２６、親機ＣＰＵ２７及び親機Ｉ／Ｆ２８が備えられている。
【００１８】
このインターホン親機２において、通話操作部２０は、来訪者からの呼出しに在室者が応答して親機マイク２４及び親機スピーカ２５の使用による通話を開始させるための応答操作やその通話を終了させるための終話操作が行われるものであって、例えば、通話（押圧）ボタンや表示部２２の前面に配置されたタッチパネル上の操作ボタン（不図示）で構成されている。また、解錠操作部２１は、在室者が電気錠３を解錠させるための解錠操作を行うものであって、例えば、ワンプッシュ操作が可能な電気錠（押圧）ボタンや表示部２２の前面に配置されたタッチパネル上の操作ボタン（不図示）で構成されている。
【００１９】
表示部２２は、インターホン子機１の映像撮像部１１で生成された映像信号を表示するものであって、例えば、ＬＣＤ、有機ＥＬディスプレイ等の各種の表示媒体で構成されており、この表示部２２としては、来訪者からの呼出しがあることを示す例えば、文字メッセージや絵データ等を表示することもできる。なお、表示部２２は、来訪者からの呼出しがあることを所定の発光色の点滅パターンや点灯パターンで表示する例えば、ＬＥＤ（不図示）を適用することもできる。また、親機映像処理部２３は、表示部２２に表示される映像信号についての信号処理、例えば、ＦＭ復調や信号増幅等を行うものである。
【００２０】
親機マイク２４及び親機スピーカ２５は、在室者が来訪者との間で通話を行うための音声（音声信号）を入出力するものであって、この親機スピーカ２５としては、来訪者からの呼出しがあることを示す例えば、呼出音や音声メッセージ等を出力することもできる。また、親機音声処理部２６は、親機マイク２４及び親機スピーカ２５の使用により入出力される音声（音声信号）についての信号処理、例えば、ＦＭ変調又はＦＭ復調や信号増幅等を行うものである。
【００２１】
親機ＣＰＵ２７は、当該インターホン親機の構成各部を制御するものである。また、親機Ｉ／Ｆ２８は、汎用ネットワーク５から親機映像処理部２３への信号伝送路、親機音声処理部２６及び汎用ネットワーク５間の信号伝送路、親機ＣＰＵ２７及び汎用ネットワーク５間の信号伝送路をそれぞれ形成し、形成された信号伝送路を経由して各種の信号を送受信するものである。
【００２２】
このように構成された本発明の実施例によるインターホンシステムにおいて、以下、具体的な動作について説明する。
【００２３】
住戸内の在室者を呼出すにあたり、住戸外（住戸玄関）に居る来訪者が図１に示すインターホン子機１の子機操作部１０を使用して呼出操作を行うと、この操作を検出した子機ＣＰＵ１７は、例えば、ＳＩＰ対応の信号フォーマットで自子機アドレス及びインターホン親機２を指定する親機アドレスを付加した呼出信号を生成する。また、子機ＣＰＵ１７で生成された呼出信号は、子機Ｉ／Ｆ１８から汎用ネットワーク５を経由してインターホン親機２の親機Ｉ／Ｆ２８に伝送される。
【００２４】
また、インターホン子機１の子機ＣＰＵ１７によれば、前述の呼出操作を検出すると、映像撮像部１１及び子機映像処理部１２を能動とする。この制御により、映像撮像部１１で生成された来訪者の映像信号が、子機映像処理部１２で例えば、ＦＭ変調や信号増幅等された後、ＳＩＰ対応の信号フォーマットで自子機アドレス及びインターホン親機２を指定する親機アドレスを付加した当該信号で、子機Ｉ／Ｆ１８から汎用ネットワーク５を経由してインターホン親機２の親機Ｉ／Ｆ２８に伝送される。
【００２５】
インターホン親機２の親機ＣＰＵ２７は、親機Ｉ／Ｆ２８を経由して受信した呼出信号に付加されている親機アドレスが自親機に割当てられた親機アドレスと一致するため、同様に付加されている子機アドレスに該当するインターホン子機１で呼出操作を行った住戸外（住戸玄関）に居る来訪者からの呼出しがあることを検出し、その旨の呼出音や音声メッセージ等を親機スピーカ２５から出力させて呼出報知を行うことができる。また、親機ＣＰＵ２７は、表示部２２及び親機映像処理部２３を能動とする。この制御により、親機映像処理部２３は、親機Ｉ／Ｆ２８を経由して受信した映像信号を例えば、ＦＭ復調や信号増幅等して表示部２２に送出することで、来訪者の映像（映像信号）を表示部２２に表示させることができるばかりでなく、この表示部２２には、来訪者からの呼出しがあることを示す文字メッセージや絵データ等を表示（呼出表示）させることもできる。
【００２６】
この後、前述の呼出報知（呼出表示）及び映像表示を確認した住戸内の在室者が、インターホン親機２の通話操作部２０を使用して応答操作を行うと、この操作を検出した親機ＣＰＵ２７は、親機音声処理部２６を能動として親機マイク２４及び親機スピーカ２５と当該親機音声処理部を経由して親機Ｉ／Ｆ２８との間の信号伝送路を形成するとともに、例えば、ＳＩＰ対応の信号フォーマットで自親機アドレス及びインターホン子機１を指定する子機アドレスを付加した応答信号を生成する。また、親機ＣＰＵ２７で生成された応答信号は、前述の呼出信号と逆の信号伝送路を経由してインターホン子機１の子機Ｉ／Ｆ１８に伝送される。
【００２７】
インターホン子機１の子機ＣＰＵ１７は、子機Ｉ／Ｆ１８を経由して受信した応答信号に付加されている子機アドレスが自子機に割当てられた子機アドレスと一致するため、同様に付加されている親機アドレスに該当するインターホン親機２で応答操作を行った住戸内の在室者による応答操作があったことを検出し、子機音声処理部１５を能動として子機マイク１３及び子機スピーカ１４と当該子機音声処理部を経由して子機Ｉ／Ｆ１８との間の信号伝送路を形成することで、来訪者が使用する子機マイク１３及び子機スピーカ１４と在室者が使用する親機マイク２４及び親機スピーカ２５との間の信号伝送路、すなわち、通話路が形成され、形成された通話路を経由して音声信号を送受信することで通話が成立する。なお、この通話時において在室者は、表示部２２に表示されている来訪者の映像（映像信号）を確認しながらの通話が可能となる。
【００２８】
また、在室者によれば、前述のような通話時において住戸外（住戸玄関）に居る来訪者を住戸内に招き入れるにあたり、インターホン親機２の解錠操作部２１を使用して解錠操作を行うことができる。この操作を検出した親機ＣＰＵ２７は、その操作情報である例えば、電気錠解錠コードと自親機アドレス及びインターホン子機１を指定する子機アドレスとを付加した例えば、ＳＩＰ対応の信号フォーマットの解錠起動制御信号を生成する。また、親機ＣＰＵ２８で生成された解錠起動制御信号は、前述の応答信号と同様な信号伝送路を経由してインターホン子機１の子機Ｉ／Ｆ１８に伝送される。
【００２９】
インターホン子機１の子機ＣＰＵ１７は、子機Ｉ／Ｆ１８を経由して受信した解錠起動制御信号に付加されている子機アドレスが自子機に割当てられた子機アドレスと一致するばかりでなく、同様に付加されている操作情報である例えば、電気錠解錠コードが、電気錠３を解錠させるために予め定められた電気錠解錠コードと一致するため、その操作情報が有効であると判定する。この子機ＣＰＵ１７は、子機記憶部１６から読出した、電気錠コントローラ４を指定するコントローラアドレスと自子機ＩＤとを付加した例えば、ＳＩＰ対応の信号フォーマットのコントローラ制御信号を生成する。また、子機ＣＰＵ１７で生成されたコントローラ制御信号は、子機Ｉ／Ｆ１８から汎用ネットワーク５を経由して伝送され、前述のコントローラアドレスが一致する電気錠コントローラ４で有効な信号として受信されることになる。
【００３０】
ここで、電気錠コントローラ４は、インターホン親機２による解錠操作をもとにインターホン子機１を経由して送信されてくるコントローラ制御信号で制御され、電気錠解錠信号を生成して電気錠３に送出することで誤動作や悪戯が発生せず安全に当該電気錠を解錠させることができる。したがって、住戸外（住戸玄関）に居る来訪者は、電気錠３が解錠された玄関戸を開けて住戸内に入ることができる。
【００３１】
なお、住戸内の在室者によれば、例えば、前述のような電気錠３を解錠させるための解錠操作をインターホン親機２の解錠操作部２１を使用して行った後のタイミングで、通話操作部２０を使用して終話操作を行うと、この操作を検出した親機ＣＰＵ２７及びインターホン子機１の子機ＣＰＵ１７の制御によって前述の通話路が遮断され通話を終了させることができる。
【００３２】
また、前述までの説明によれば、住戸内の在室中がインターホン親機２の解錠操作部２１を使用して解錠操作を行うタイミングが、住戸外（住戸玄関）に居る来訪者からの呼出しに応答して成立された通話時であったが、このタイミングに限定されるものではない。例えば、インターホン子機１からインターホン親機２への呼出しがない待受時や、同様な待受時で在室者が住戸外の様子を監視するにあたって通話操作部２０を操作し前述のような通話路を形成させたモニタ監視時においても同様な解錠操作を行うことができる。
【００３３】
前述までの説明から明らかなように、本発明の実施例によれば、電気錠３を施解錠する電気錠コントローラ４をインターホン子機１とは別体で住戸内に設置し、インターホン親機２の解錠操作部２１の使用による解錠操作を検出した親機ＣＰＵ２７から送信されてくる操作情報が有効であるとインターホン子機１の子機ＣＰＵ１７で判定したとき、この子機ＣＰＵ１７により子機記憶部１６から読出された識別番号に一致する電気錠コントローラ４を制御することができる。これにより、電気錠コントローラ４は、インターホン子機１を経由して送信されてくる信号で制御されるため、誤動作や悪戯が発生せず安全に電気錠３の解錠が可能となる。
【００３４】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００３５】
具体的に、本発明の実施例においては、インターホン子機１の映像撮像部１１で生成された映像信号をインターホン親機２の表示部２２に表示させたが、例えば、汎用ネットワーク５に不図示のサーバを接続することで、この映像信号をサーバで保存・管理することもできる。
【００３６】
また、本発明の実施例においては、住戸外に設置されるインターホン子機１として映像撮像部１１及び子機映像処理部１２を備えた当該インターホン子機を適用したが、この態様に限定されるものではない。例えば、映像撮像部１１及び子機映像処理部１２が不備とされる当該インターホン子機を適用することもできる。
【００３７】
さらに、本発明の実施例においては、住戸内に設置されるインターホン親機２として表示部２２及び親機映像処理部２３を備えた当該親機を適用したが、この態様に限定されるものではない。例えば、前述のようにインターホン子機１の映像撮像部１１及び子機映像処理部１２が不備とされる場合には、これに対応させて、表示部２２及び親機映像処理部２３が不備とされる当該インターホン親機を適用することもできる。
【符号の説明】
【００３８】
１……インターホン子機
１６……子機記憶部
１７……子機ＣＰＵ
２……インターホン親機
２７……親機ＣＰＵ
３……電気錠
４……電気錠コントローラ
５……汎用ネットワーク
【図１】
0006043250.tif 000002